(57)【要約】【課題】治療計画サーバの処理負担を軽減し、治療計画サーバの処理と並列にデータの保守を行うことができる放射線治療計画システムを得る。【解決手段】治療計画サーバ１１によって、患者の治療データの大容量外部記憶装置１４への読み出し及び書き込みを行い、この治療データに基づき、治療計画端末１２により患者の治療計画を立案するとともに、治療計画サーバ１１に接続された保守端末１３によって、治療計画サーバ１１との通信により、大容量外部記憶装置１４に格納された治療データを保守するようにしたものである。【選択図】図１
2009112404.tif 000002
【特許請求の範囲】
【請求項１】
治療ＲＩＳと照射系システムとに接続され、患者への放射線治療計画を立案する放射線治療計画システムにおいて、
患者の治療データを格納した外部記憶装置、この外部記憶装置に接続され、上記外部記憶装置に上記治療データを書き込むとともに上記外部記憶装置から上記治療データを読み出す治療計画サーバ、この治療計画サーバに接続され、上記治療データに基づき、患者の治療計画を立案する治療計画端末、及び上記治療計画サーバに接続され、上記治療計画サーバとの通信により、上記外部記憶装置に格納された治療データを保守する保守端末を備えたことを特徴とする放射線治療計画システム。
【請求項２】
上記保守端末に対して着脱自在に配置され、上記治療データが格納される着脱式外部記憶装置を備え、
上記保守端末は、上記治療データを暗号化して上記着脱式外部記憶装置に書き込むとともに、上記着脱式外部記憶装置から読み出した上記治療データを復号化することを特徴とする請求項１記載の放射線治療計画システム。
【請求項３】
上記保守端末に対して着脱自在に配置され、上記治療データが格納される着脱式外部記憶装置を備え、
上記保守端末は、上記治療データを匿名化して上記着脱式外部記憶装置に書き込むことを特徴とする請求項１記載の放射線治療計画システム。
【請求項４】
上記保守端末は、ユーザごとに予め設定されたアクセスレベルに応じたアクセス制御を行うことを特徴とする請求項１〜請求項３のいずれかに記載の放射線治療計画システム。
【請求項５】
上記保守端末は、複数台が上記治療計画サーバに接続されたことを特徴とする請求項１〜請求項４のいずれかに記載の放射線治療計画システム。
【請求項６】
上記保守端末は、上記治療計画端末に組み込まれていることを特徴とする請求項１〜請求項５のいずれかに記載の放射線治療計画システム。
【発明の詳細な説明】
【技術分野】
【０００１】
この発明は、治療ＲＩＳ（Ｒａｄｉｏｌｏｇｙ  Ｉｎｆｏｒｍａｔｉｏｎ  Ｓｙｓｔｅｍ）と照射系システムとに接続され、放射線治療の計画を行う放射線治療計画システムに関するものである。
【背景技術】
【０００２】
従来の放射線治療計画システムとしては、特許文献１に記載された放射線治療計画システムがある。
この放射線治療計画システムは、治療ＲＩＳと照射系システムに接続され、複数の治療計画端末と治療計画サーバにて構成されている。治療計画サーバには、大容量外部記憶装置と着脱式外部記憶装置が接続されている。
従来の放射線治療計画システムでは、治療を行う患者のデータを治療計画サーバに登録する。また、モダリティ（ＣＴやＭＲＩなどの医療機器の単位）からＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）形式で送信されてきた画像データを同じく治療計画サーバに登録する。
【０００３】
この治療計画サーバに蓄えられた患者データ、画像データを元に、治療計画端末にて治療計画を策定し、この計画を治療計画サーバにて承認する。承認された治療計画は照射系システムに送信されると共に、承認した治療計画の位置決め情報がモダリティへ送信される。その後、実際に照射系システムにて患者への照射を行った後、照射系システムから照射終了通知を受け、その情報を治療ＲＩＳへ送信する。
なお、治療計画サーバでは、不慮の事態に備えて、任意のタイミングでデータを保守すなわちデータ保存／削除／リストアなどを行うことができる。
これらの動作を実現するために、治療計画サーバは、治療データ保守機能を有し、治療計画サーバに接続された大容量外部記憶装置の中に格納された様々な患者データ、画像データ、計画データを保守するために、アクセス制限、データ保存、データ削除、データリストア、操作履歴の表示を行うようになっている。
【０００４】
【特許文献１】特開２０００−２４２７２２号公報（第５〜９頁、図１）
【発明の開示】
【発明が解決しようとする課題】
【０００５】
上述のように、従来の放射線治療計画システムでは、治療計画サーバ上にてデータの保守を行っているが、大容量のデータ時には数ＧＢにも及び、これを着脱式外部記憶装置にて読み／書きする必要があり、多くの時間とＣＰＵパワーが必要となり、また画面も占有してしまうため、同時に他の処理を行うことが困難であった。
そのために、データの保守を行うのは、治療を行っていない定期検査時に限られていた。
【０００６】
この発明は、上記のような課題を解決するためになされたものであり、治療計画サーバの処理負担を軽減し、治療計画サーバの処理と並列にデータの保守を行うことができる放射線治療計画システムを得ることを目的としている。
【課題を解決するための手段】
【０００７】
この発明に係わる放射線治療計画システムにおいては、治療ＲＩＳと照射系システムとに接続され、患者への放射線治療計画を立案する放射線治療計画システムにおいて、
患者の治療データを格納した外部記憶装置、この外部記憶装置に接続され、外部記憶装置に治療データを書き込むとともに外部記憶装置から治療データを読み出す治療計画サーバ、この治療計画サーバに接続され、治療データに基づき、患者の治療計画を立案する治療計画端末、及び治療計画サーバに接続され、治療計画サーバとの通信により、外部記憶装置に格納された治療データを保守する保守端末を備えたものである。
【発明の効果】
【０００８】
この発明は、以上説明したように、治療ＲＩＳと照射系システムとに接続され、患者への放射線治療計画を立案する放射線治療計画システムにおいて、
患者の治療データを格納した外部記憶装置、この外部記憶装置に接続され、外部記憶装置に治療データを書き込むとともに外部記憶装置から治療データを読み出す治療計画サーバ、この治療計画サーバに接続され、治療データに基づき、患者の治療計画を立案する治療計画端末、及び治療計画サーバに接続され、治療計画サーバとの通信により、外部記憶装置に格納された治療データを保守する保守端末を備えたので、治療計画サーバの処理負担を軽減するとともに、治療計画サーバの処理と並列に保守端末により治療データの保守を行うことができる。
【発明を実施するための最良の形態】
【０００９】
実施の形態１．
以下、この発明の実施の形態１を図に基づいて説明する。
図１は、この発明の実施の形態１による放射線治療計画システムを示す構成図である。
図１において、放射線治療計画システム１は、モダリティ（ＣＴやＭＲＩなどの医療機器の単位）３１を有する治療ＲＩＳ３と、実際に患者への放射線の照射を行う照射系システム２に接続されていて、複数の治療計画端末１２と治療計画サーバ１１と保守端末１３から構成される。保守端末１３は、治療計画サーバ１１とローカルネットワーク内で接続されている。
治療計画サーバ１１には、大容量外部記憶装置１４が接続され、保守端末１３には、着脱式外部記憶装置１５が接続されている。
【００１０】
図２は、この発明の実施の形態１による放射線治療計画システムの治療計画サーバ及び保守端末の機能ブロックを示す図である。
図２において、治療計画サーバ１１は、照射終了通知機能１１２、計画格納機能１１３、画像受信・登録機能１１４、治療計画サーバメニュー１１５、治療データ保守サーバ機能１１６、及びこれらの各機能を動作させるＯＳ１１１により構成されている。
照射終了通知機能１１２は、実際に照射系システム２にて患者への照射を行った後、照射系システム２から照射終了通知を受け、その情報を治療ＲＩＳ３へ送信する。計画格納機能１１３は、治療計画端末１２により策定された治療計画のデータを格納する。画像受信・登録機能１１４は、モダリティ３１からＤＩＣＯＭ形式で送信されてきた画像データを治療計画サーバ１１に登録する。
【００１１】
治療計画サーバメニュー１１５は、治療を行う患者のデータを登録する患者登録機能１１７と、治療計画端末１２により策定された治療計画を承認する計画承認機能１１８と、承認した治療計画の位置決め情報をモダリティ３１へ送信する位置決め情報送信機能１１９とを起動させるための画面を構成している。
治療計画サーバ１１に接続される保守端末１３は、治療データ（患者データ、画像データ、治療計画データなど治療計画サーバ１１に格納されたデータ）の保守を行う治療データ保守クライアント機能１３２と、この機能を動作させるＯＳ１３１とを有している。
なお、治療データ保守サーバ機能１１６と治療データ保守クライアント機能１３２とは、ＴＣＰ／ＩＰ通信１６により通信が行われる。
治療計画端末１２は、治療計画サーバ１１に蓄えられた患者データ、画像データを元に、治療計画を策定する計画作成機能１２２と、この機能を動作させるＯＳ１２１とを有している。
【００１２】
図３は、この発明の実施の形態１による治療計画システムの動作を示すフローチャートである。
図４は、この発明の実施の形態１による治療計画システムの保守端末の動作を示すフローチャートである。
【００１３】
次に、動作について説明する。
まず、放射線治療計画システムの動作を図３により説明する。
患者登録機能１１７により、治療を行う患者のデータを治療計画サーバ１１に登録する（Ｓ２００）。次いで、画像受信・登録機能１１４により、モダリティ３１からＤＩＣＯＭ形式で送信されてきた画像データを同じく治療計画サーバ１１に登録する（Ｓ２０１）。この治療計画サーバ１１に蓄えられた患者データ、画像データを元に、治療計画端末１２にて治療計画を策定し、計画格納機能１１３により、治療計画サーバ１１に登録する（Ｓ２０２）。
次に、計画承認機能１１８により、この治療計画を治療計画サーバ１１にて承認し、承認した治療計画を、照射系システム２に送信する（Ｓ２０３）。また、位置決め情報送信機能１１９により、承認した治療計画の位置決め情報をモダリティ３１へ送信する（Ｓ２０４）。
その後、実際に照射系システム２にて患者への照射を行った後、照射系システム２から照射終了通知を、照射終了通知機能１１２が受け、その情報を治療ＲＩＳ３へ送信する（Ｓ２０５）。
【００１４】
実施の形態１では、図２に示すように、治療計画サーバ１１には治療データ保守サーバ機能１１６が、保守端末１３には治療データ保守クライアント機能１３２が搭載されている。
ユーザが治療計画サーバ１１上の治療データの保守を行う場合は、治療計画サーバ１１からではなく、保守端末１３上の治療データ保守クライアント機能１３２にて行う。このとき、治療データ保守クライアント機能１３２は、治療計画サーバ１１の治療データ保守サーバ機能１１６とＴＣＰ／ＩＰによるソケット通信によってコネクションを確立し、逐次的にデータのやり取りを行うことで、あたかも治療計画サーバ１１上で治療データ保守機能を使用しているような操作感が味わえる。
【００１５】
次に、保守端末１３の動作について説明する。
保守端末１３の治療データ保守クライアント機能１３２は、治療計画サーバ１１に接続された大容量外部記憶装置１４の中に格納された様々な患者データ、画像データ、治療計画データなどの治療データを保守するために、任意のタイミングで、アクセス制限、データ保存、データ削除、データリストア及び操作履歴の表示を行う。図４により、これらについて説明する。
まず、治療データ保守機能立ち上げを行う（Ｓ４００）。次いで、セキュリティを高めるために、ユーザに対してログイン名とパスワードの入力を求める（Ｓ４１０）。そして、正しい入力を行ったユーザのみが本機能を使用することができる。これがアクセス制限である。
次いで、保守メニューを表示し（Ｓ４２０）、これからの選択により、データ保存、データ削除、データリストア、操作履歴の表示を行う。
データ保存（Ｓ４３０）では、治療が終了するなどして必要のなくなった患者データを着脱式外部記憶装置１５へ保存する。
データ削除（Ｓ４４０）では、着脱式外部記憶装置１５に保存するなどして必要のなくなった患者データを削除する。また、間違って登録された画像ＣＴなどや承認されずに却下された治療計画なども削除する。
データリストア（Ｓ４５０）では、着脱式外部記憶装置１５に保存された患者データを治療計画サーバ１１へ再登録する。
操作履歴の表示（Ｓ４６０）では、いつどのユーザがどの作業、すなわちデータ保存／削除／リストアなどを行ったかの操作履歴を治療計画サーバ１１に保存し、必要に応じてその履歴を見返すことができる。
【００１６】
実施の形態１によれば、治療データ保守機能を保守端末１３上で実現することによって、治療計画サーバ１１の負荷を下げ、同時に治療計画サーバ１１で別作業を行うことができるようになる。
また、保守端末１３には、いわゆるサーバとしての機能が必要なく、普通のＰＣ（パソコン）で構成できるため、それに接続される着脱式外部記憶装置１５も、サーバ専用の特別なものではなく、多数の種類から選択することができる。
【００１７】
実施の形態２．
実施の形態２は、実施の形態１の図１の構成で、保守端末１３が暗号化／復号化機能を有するものである。
図５は、この発明の実施の形態２による放射線治療計画システムの保守端末を示す構成図である。
図５において、１３、１５は図１におけるものと同一のものである。図５では、保守端末１３の治療データ保守クライアント機能１３２は、データ処理を行うデータ処理部１３３と、データ処理部１３３から送られてきたデータを暗号化する暗号化部１３５と、着脱式外部記憶装置１５から読み出したデータを復号化する復号化部１３６と、暗号化するデータ項目または復号化するデータ項目を任意に設定するデータ項目指定部１３４とを有する。
【００１８】
次に、動作について説明する。
治療データ保守クライアント機能１３２で患者データなどを保存する場合、治療データ保守クライアント機能１３２内のデータ処理部１３３から送られてきたデータは、暗号化部１３５で暗号化した後に、着脱式外部記憶装置１５に書き込まれる。
また、患者データをリストアする場合は、着脱式外部記憶装置１５から送られてきたデータを、復号化部１３６で復号化した後に、データ処理部１３３へ送られる。
このとき、データ項目指定部１３４によって、暗号化するデータ項目または復号化するデータ項目を任意に設定することができる。
【００１９】
以上のように、実施の形態２によれば、着脱式外部記憶装置１５に保存されるデータは暗号化されているため、万一第三者がデータを入手した場合であってもデータを解読することができないので、機密を保護することができる。
【００２０】
実施の形態３．
実施の形態３は、実施の形態１の図１の構成で、保守端末１３が匿名化機能を有するものである。
図６は、この発明の実施の形態３による放射線治療計画システムの保守端末を示す構成図である。
図６において、１３、１５、１３２、１３３は図５におけるものと同一のものである。図６では、データを匿名化する匿名化部１３７と、匿名化するデータ項目を任意に設定するデータ項目指定部１３８とを有する。
【００２１】
図７は、この発明の実施の形態３による保守端末の匿名化を示す説明図であり、図７（ａ）は、匿名化前のデータを示す図、図７（ｂ）は、匿名化後のデータを示す図である。図７（ｂ）では、患者名の神戸一郎にマスクがかけられている。
【００２２】
次に、動作について説明する。
治療データ保守クライアント機能１３２で保存した患者データ、画像データ、治療計画データは、「統計を取る」／「研修に利用する」／「システムのテストに使用する」などの治療目的以外にも使用したい場合がある。
しかし、これらのデータには個人情報が多分に含まれるため、個人情報保護の観点からこれらのデータを患者に無断で使用することはできない。そこで、治療データ保守クライアント機能１３２に匿名化機能を追加したものが、実施の形態３である。
図６で、治療データ保守クライアント機能１３２にて患者データを匿名化して保存する場合、治療データ保守クライアント機能１３２のデータ処理部１３３から送られてきたデータは、匿名化部１３７で匿名化した後に、着脱式外部記憶装置１５に書き込まれる。
匿名化された患者のデータは、図７のように、個人を特定できる情報にマスクがかけられる。このとき、データ項目指定部１３８によって、匿名化するデータ項目を任意に設定することができる。
【００２３】
実施の形態３によれば、このように、個人特定情報を除去することによって、保存したデータを個人情報の含まれない統計データとして様々な目的で使用することができるようになる。
なお、これらの匿名化されたデータを、治療計画サーバへリストアすることは可能であるが、この場合は試験用の患者データとなってしまい、元の患者データと紐付けることはできない。
【００２４】
実施の形態４．
実施の形態１の放射線治療計画システムでは、データ保守を行う際に、ログイン名／パスワードを入力させることで、アクセス制限を行っている。
しかしながら、実際にシステムを運用する際には、複数の保守員で運用することが想定され、また保守員によって権限も異なるため、ある保守員にはデータ保存などの簡単な作業のみを、別の保守員には危険を伴うデータ削除も行うことができるなど、アクセスレベルをユーザ毎に切り替えるようにした方がよい。
そこで、実施の形態４は、実施の形態１において、保守端末１３を使用する際のユーザのアクセスレベルに従って、アクセス制御を行うユーザアクセス制御機能を保守端末１３に持たせている。
【００２５】
図８は、この発明の実施の形態４による治療計画システムの保守端末の動作を示すフローチャートである。
【００２６】
図９は、この発明の実施の形態４による治療計画システムの保守端末のアクセルレベルを説明する図である。
図９において、ユーザアカウントの種類（ゲスト、一般オペレータ、上級ユーザ、システム管理者）ごとに、使用できる機能（アクセスレベル）が決められている。図９では、ゲストは、操作履歴の表示のみであり、一般オペレータは、操作履歴の表示とデータ保存が行え、上級ユーザは、操作履歴の表示とデータ保存とデータ削除とデータリストアが行え、システム管理者は、操作履歴の表示とデータ保存とデータ削除とデータリストアに加えて、ユーザ管理を行える。
【００２７】
次に、動作について図８を用いて説明する。
図８の処理Ｓ４００、Ｓ４１０、Ｓ４３０、Ｓ４４０、Ｓ４５０、Ｓ４７０は図４における処理と同一のものであり、その説明を省略する。
図８では、Ｓ４１０の次に、Ｓ５１０の処理を行う。Ｓ５１０では、ユーザのアカウントのアクセスレベルを取得する。次いで、Ｓ５２０で、アクセスレベルに従った保守メニュー項目だけを表示する。これは図９に示すとおりである。
このアクセスレベルは、放射線治療計画システムの構築時にパラメータにて任意に設定することができ、後から変更することも可能である。
また、システム管理者など最も権限の高いユーザは、ユーザ管理機能Ｓ５３０を使用することができる。このユーザ管理機能Ｓ５３０は、他のユーザを新規登録／削除したり、他のユーザのアクセスレベルやパスワードを変更することのできる機能である。
Ｓ５２０で、保守メニューから選択することにより、Ｓ４３０、Ｓ４４０、Ｓ４５０、Ｓ４７０の処理あるいは、ユーザ管理機能（Ｓ５３０）が実行される。
【００２８】
実施の形態４によれば、アクセスレベルに応じた保守を行うことができ、最も権限の高いユーザは、ユーザ管理機能を使用することができる。
【００２９】
実施の形態５．
実施の形態５は、実施の形態１の図１の構成で、複数の保守端末１３が治療計画サーバ１１に接続され、同時にデータ保守を実施するようにしたものである。
図１０は、この発明の実施の形態５による放射線治療計画システムを示す構成図である。
図１０において、１〜３、１１〜１５、３１は図１におけるものと同一のものである。図１０では、保守端末１３及び着脱式外部記憶装置１５が複数設けられている。
【００３０】
実施の形態５は、複数の保守端末１３が治療計画サーバ１１に接続され、同時にデータ保守を実施することができ、よりフレキシブルにデータ保守を行うことが可能となる。
ただし、同じ患者を同時に保守するなどの競合が発生する可能性があるため、患者単位にロック権を設定することで、排他制御処理を行う。つまり、ある患者の計画を削除している場合は、別端末にてその患者を保存することができないようにする。
【００３１】
実施の形態５によれば、複数の保守端末を治療計画サーバに接続したので、同時にデータ保守を実施することができる。
【００３２】
実施の形態６．
実施の形態６は、実施の形態１の図１の構成で、保守端末１３を設置するのではなく、複数設置されている治療計画端末１２に保守端末１３の機能を持たせるようにしたものである。
図１１は、この発明の実施の形態６による放射線治療計画システムを示す構成図である。
図１１において、１〜３、１１、１２、１４、１５、３１は図１におけるものと同一のものである。図１１では、複数の治療計画端末１２に保守端末の機能を持たせ、各別に複数の着脱式外部記憶装置１５に接続されている。
【００３３】
図１２は、この発明の実施の形態６による放射線治療計画システムの治療計画サーバ及び治療計画端末の機能ブロックを示す図である。
図１２において、１１、１１１〜１１９、１２、１２１、１２２、１６は図２におけるものと同一のものである。図１２では、治療計画端末１２に治療データ保守クライアント機能１３２を持たせている。この治療データ保守クライアント機能１３２は、図２の治療データ保守クライアント機能１３２と同じ機能である。
【００３４】
実施の形態６は、複数の治療計画端末１２に治療データ保守クライアント機能１３２を持たせている。
このように、複数存在する治療計画端末１２にそれぞれ着脱式外部記憶装置１５を接続することで、治療計画端末１２の画面上からデータ保守を行うことができるようになる。
なお、すべての治療計画端末１２に必ず着脱式外部記憶装置１５を接続する必要はない。
ただし、データ保守のための専用ネットワークを持つわけではないため、使用状況によっては、他の機能の処理速度に影響が出る可能性がある。
【００３５】
実施の形態６によれば、複数の治療計画端末に治療データ保守クライアント機能を持たせたので、わざわざ保守端末を配置する必要がない。
【図面の簡単な説明】
【００３６】
【図１】この発明の実施の形態１による放射線治療計画システムを示す構成図である。
【図２】この発明の実施の形態１による放射線治療計画システムの治療計画サーバ及び保守端末の機能ブロックを示す図である。
【図３】この発明の実施の形態１による治療計画システムの動作を示すフローチャートである。
【図４】この発明の実施の形態１による治療計画システムの保守端末の動作を示すフローチャートである。
【図５】この発明の実施の形態２による放射線治療計画システムの保守端末を示す構成図である。
【図６】この発明の実施の形態３による放射線治療計画システムの保守端末を示す構成図である。
【図７】この発明の実施の形態３による保守端末の匿名化を示す説明図である。
【図８】この発明の実施の形態４による治療計画システムの保守端末の動作を示すフローチャートである。
【図９】この発明の実施の形態４による治療計画システムの保守端末のアクセルレベルを説明する図である。
【図１０】この発明の実施の形態５による放射線治療計画システムを示す構成図である。
【図１１】この発明の実施の形態６による放射線治療計画システムを示す構成図である。
【図１２】この発明の実施の形態６による放射線治療計画システムの治療計画サーバ及び治療計画端末の機能ブロックを示す図である。
【符号の説明】
【００３７】
１  放射線治療計画システム、２  照射系システム、３  治療ＲＩＳ、
１１  治療計画サーバ、１２  治療計画端末、１３  保守端末、
１４  大容量外部記憶装置、１５  着脱式外部記憶装置、
１６  ＴＣＰ／ＩＰ通信、３１  モダリティ、
１１１  ＯＳ、１１２  照射終了通知機能、１１３  計画格納機能、
１１４  画像受信・登録機能、１１５  治療計画サーバメニュー、
１１６  治療データ保守サーバ機能、１１７  患者登録機能、１１８  計画承認機能、
１１９  位置決め情報送信機能、１２１  ＯＳ、１２２  計画作成機能、
１３１  ＯＳ、１３２  治療データ計画クライアント機能、１３３  データ処理部、
１３４  データ項目指定部、１３５  暗号化部、１３６  復号化部、
１３７  匿名化部、１３８  データ項目指定部。
【図１】
2009112404.tif 000003
【図２】
2009112404.tif 000004
【図３】
2009112404.tif 000005
【図４】
2009112404.tif 000006
【図５】
2009112404.tif 000007
【図６】
2009112404.tif 000008
【図７】
2009112404.tif 000009
【図８】
2009112404.tif 000010
【図９】
2009112404.tif 000011
【図１０】
2009112404.tif 000012
【図１１】
2009112404.tif 000013
【図１２】
2009112404.tif 000014